(57)【要約】      （修正有）【課題】  排水の流れをスムーズにすることができると共に、リング体の収容部内に収容された薬剤の効果を十分に発揮させることができる蓋の提供。【解決手段】蓋本体３およびこの蓋本体３の下面側に着脱自在に装着され、水溶性の薬剤Ｍを収容したリング体８は薬剤Ｍを内部に導入された排水に溶解させて外部に導出する収容部９を複数有し、蓋本体３が排水用開口４および収容部９に排水を誘導するための誘導用開口１０を有している蓋１であって、排水用開口４が蓋本体３の中央部にほぼ垂直方向に設けられ、また、蓋本体３の中央部が、排水用開口４の上縁４ａから蓋本体３の周縁部に向かって延びる庇部５と、排水用開口４の下縁４ｂから蓋本体３の周縁部に向かって湾曲状に延び蓋本体３の上面から下方に凹入している湾曲部６とで構成されており、さらに、湾曲部６と蓋本体３の周縁部との連設部分７を湾曲させて連設部分７に角部が形成されないように構成してある。【選択図】  図１
2007046336.tif 000002
【特許請求の範囲】
【請求項１】
流しの排水口に設置されているごみ受け籠を覆うように設けられ、蓋本体およびこの蓋本体の下面側に着脱自在に装着されるリング体を備え、前記リング体が、水溶性の薬剤を収容し、その薬剤を内部に導入された排水に溶解させて外部に導出する収容部を複数有し、前記蓋本体が、排水用開口および前記収容部に排水を誘導するための誘導用開口を有している蓋であって、前記排水用開口が蓋本体の中央部にほぼ垂直方向に設けられ、また、蓋本体の中央部が、前記排水用開口の上縁から蓋本体の周縁部に向かって延びる庇部と、前記排水用開口の下縁から蓋本体の周縁部に向かって湾曲状に延び蓋本体の上面から下方に凹入している湾曲部とで構成されており、さらに、前記湾曲部と蓋本体の周縁部との連設部分を湾曲させて前記連設部分に角部が形成されないように構成してあることを特徴とする蓋。
【請求項２】
前記連設部分が上に凸の湾曲となっている請求項１に記載の蓋。
【請求項３】
前記排水用開口の上縁が上側に湾曲している請求項１または２に記載の蓋。
【請求項４】
前記誘導用開口が蓋本体の中央を囲むように環状に配置されており、また、蓋本体における誘導用開口の蓋本体中央側に、下方に凹み、蓋本体中央側ほどその凹み深さが小さくなる凹入部が連設されている請求項１〜３のいずれかに記載の蓋。
【請求項５】
前記収容部は、前記誘導用開口からの排水を内部に導入するための導入孔を蓋本体中央側に有すると共に、内部に導入された排水を外部に導出するための導出孔を蓋本体周縁側に有しており、また、リング体が蓋本体に装着された状態で、収容部の前記導入孔が蓋本体の前記誘導用開口の直下に位置し、収容部の前記導出孔が蓋本体の誘導用開口よりも蓋本体周縁側に位置するように構成されており、さらに、蓋本体の誘導用開口に導入された排水が前記導出孔に向かうのを防止するための防流壁が蓋本体の下面またはリング体の収容部の上面に設けられている請求項１〜４のいずれかに記載の蓋。
【請求項６】
前記水溶性の薬剤が、ぬめり除去作用または殺菌作用または消臭作用の一以上を有している請求項１〜５のいずれかに記載の蓋。
【発明の詳細な説明】
【技術分野】
【０００１】
この発明は、例えば、流しの排水口に設けられる蓋に関する。
【背景技術】
【０００２】
流しの排水口に設けられる蓋として、本願出願人は、図５に示すように、流しの排水口に設置されているごみ受け籠Ｃを覆うように設けられ、蓋本体７１およびこの蓋本体７１の下面側に着脱自在に装着されるリング体７２とを備えたものを先に出願している（特願２００４−８６７５６号）。ここで、前記リング体７２は、水溶性の薬剤を収容し、その薬剤を内部に導入された排水に溶解させて外部に導出する収容部７３を複数有している。これに対して、前記蓋本体７１は、排水用開口７４および前記収容部７３に排水を誘導するための誘導用開口７５を有している。
【０００３】
また、前記排水用開口７４は、蓋本体７１の中央部にほぼ垂直方向に設けられている。それに伴い、蓋本体７１の中央部は、前記排水用開口７４の上縁から蓋本体７１の周縁部に向かって延びる庇部７６と、前記排水用開口７４の下縁から蓋本体７１の周縁部に向かって湾曲状に延び蓋本体７１の上面から下方に凹入している湾曲部７７とで構成されている。
【０００４】
さらに、前記リング体７２の収容部７３は、前記誘導用開口７５からの排水を内部に導入するための導入孔７８を蓋本体７１中央側に有すると共に、内部に導入された排水を外部に導出するための導出孔７９を蓋本体７２周縁側に有している。また、リング体７２が蓋本体に装着された状態では、収容部７３の前記導入孔７８が蓋本体７１の前記誘導用開口７５の直下に位置し、収容部７３の前記導出孔７８が蓋本体７１の誘導用開口７５よりも蓋本体７１周縁側に位置する。
【０００５】
上記の構成からなる蓋では、排水が前記排水用開口７４を経て前記ごみ受け籠Ｃへと向かうのであり、排水中のごみはごみ受け籠Ｃにて捕捉されることとなる。また、誘導用開口７５から導入孔７８を経て収容部７３内に誘導された排水に、収容部７３に収容された薬剤が溶け込み、その排水が収容部７３の前記導出孔７９から外部に流出して前記ごみ受け籠Ｃの側壁を伝って流れることにより、ごみ受け籠Ｃの側壁のぬめりなどが除去される。
【０００６】
【特許文献１】特許第３６６３５４９号公報
【特許文献２】特許第２７２４５５５号公報
【発明の開示】
【発明が解決しようとする課題】
【０００７】
しかし、上記の蓋では、図５に示すように、湾曲部７７と蓋本体７１の周縁部との連設部分に角部８０が形成されていたことから、流しの底面から蓋本体７１の周縁部を経て湾曲部７７へと流れ込む排水のスムーズな流れを前記角部８０が妨げてしまい、その結果、排水時に水しぶきや乱流が生じる上、排水中のごみが角部８０に堆積しやすいという問題があった。
【０００８】
また、誘導用開口７５から収容部７３の上方に誘導される排水の流量が大きい場合、その排水の一部が収容部７３の前記導出孔７９側へと回り込んで導出孔７９を覆う流れを形成し、収容部７３内において薬剤が溶け込んだ排水の前記導出孔７９からの流出が前記流れによって阻害されてしまうという問題もあった。
【０００９】
この発明は、上述の事柄に留意してなされたもので、その目的は、排水の流れをスムーズにすることができると共に、リング体の収容部内に収容された薬剤の効果を十分に発揮させることができる蓋を提供することである。
【課題を解決するための手段】
【００１０】
上記目的を達成するために、この発明の蓋は、流しの排水口に設置されているごみ受け籠を覆うように設けられ、蓋本体およびこの蓋本体の下面側に着脱自在に装着されるリング体を備え、前記リング体が、水溶性の薬剤を収容し、その薬剤を内部に導入された排水に溶解させて外部に導出する収容部を複数有し、前記蓋本体が、排水用開口および前記収容部に排水を誘導するための誘導用開口を有している蓋であって、前記排水用開口が蓋本体の中央部にほぼ垂直方向に設けられ、また、蓋本体の中央部が、前記排水用開口の上縁から蓋本体の周縁部に向かって延びる庇部と、前記排水用開口の下縁から蓋本体の周縁部に向かって湾曲状に延び蓋本体の上面から下方に凹入している湾曲部とで構成されており、さらに、前記湾曲部と蓋本体の周縁部との連設部分を湾曲させて前記連設部分に角部が形成されないように構成してあることを特徴としている（請求項１）。
【００１１】
上記蓋において、前記連設部分が上に凸の湾曲となっていることが好ましい（請求項２）。
【００１２】
また、上記蓋において、前記排水用開口の上縁が上側に湾曲していてもよい（請求項３）。
【００１３】
さらに、上記蓋において、前記誘導用開口が蓋本体の中央を囲むように環状に配置されており、また、蓋本体における誘導用開口の蓋本体中央側に、下方に凹み、蓋本体中央側ほどその凹み深さが小さくなる凹入部が連設されていてもよい（請求項４）。
【００１４】
また、上記蓋において、前記収容部は、前記誘導用開口からの排水を内部に導入するための導入孔を蓋本体中央側に有すると共に、内部に導入された排水を外部に導出するための導出孔を蓋本体周縁側に有しており、また、リング体が蓋本体に装着された状態で、収容部の前記導入孔が蓋本体の前記誘導用開口の直下に位置し、収容部の前記導出孔が蓋本体の誘導用開口よりも蓋本体周縁側に位置するように構成されており、さらに、蓋本体の誘導用開口に導入された排水が前記導出孔に向かうのを防止するための防流壁が蓋本体の下面またはリング体の収容部の上面に設けられていてもよい（請求項５）。
【００１５】
また、上記蓋において、前記水溶性の薬剤が、ぬめり除去作用または殺菌作用または消臭作用の一以上を有していることが望ましい（請求項６）。
【発明の効果】
【００１６】
請求項１〜６に係る発明では、排水用開口に向かって延びる前記湾曲部と蓋本体の周縁部との連設部分を湾曲させて前記連設部分に角部が形成されないように構成してあるので、排水の流れをスムーズな整流とすることができ、排水中のごみもその下方にあるごみ受け籠に抵抗無く落とし込むことができる蓋が得られる。
【００１７】
また、請求項３に係る発明では、排水用開口を大きくすることが容易となるという効果をも奏する蓋が得られる。
【００１８】
さらに、請求項４に係る発明では、傾斜がついている凹入部内に排水が溜まることがないのに加え、凹入部から流れ落ちる排水によって誘導用開口の周縁に付着したごみ等も洗い落とされ、衛生面でより優れた効果を奏する蓋が得られる。また、この効果は、上述したように、排水の流れがスムーズになっていることから、非常に高まることとなる。
【００１９】
また、請求項５に係る発明では、収容部内において薬剤が排水に溶解して形成された薬液を収容部の下方にあるごみ受け籠に確実に供給することができる。これは、前記防流壁によって収容部からの前記薬液の流出を妨げる流れが形成されることが防止されるためである。さらに、請求項５に係る発明では、前記薬液の濃度も常にほぼ一定に保つことができる。これは、本発明の蓋では、特に前記湾曲部では、排水の流量が大きくなり易いことに起因して、湾曲部近傍に設けられた誘導用開口から前記導入孔に大量の排水が一度に流入し、収容部内で形成される薬液の濃度が小さくなってその効能が十分に発揮されなくなることは、勢いのついた排水が流入しにくい位置である前記誘導用開口の直下に収容部の導入孔を位置させたことによって確実に防止されるためである。
【発明を実施するための最良の形態】
【００２０】
図１および図２は、本発明の一実施の形態に係る蓋１の構成を概略的に示す斜視図および部分透視平面図、図３および図４は流しの排水口に取り付けた状態の前記蓋の全体および要部の構成を概略的に示す縦断面図である。蓋１は、図３に示すように、流しの排水口２に設置されているごみ受け籠（図示していない）を覆うように前記排水口２に着脱自在に設けられている。すなわち、図３において、蓋１の下方に、図示していないごみ受け籠が設置されている。
【００２１】
以下、蓋１の詳細な構成を説明する。まず、蓋１は、図１〜図４に示すように、前記排水口２に嵌め込まれる合成樹脂製で適宜の剛性を有する蓋本体３を備えている。この蓋本体３は、平面視ほぼ円形状であり、中央部に略三日月形状の排水用開口４がほぼ垂直方向に設けられている。これに伴い、蓋本体３の中央部は、前記排水用開口４の上縁４ａから蓋本体３の周縁部に向かって延びる庇部５と、前記排水用開口４の下縁４ｂから蓋本体３の周縁部に向かって湾曲状に延び蓋本体３の上面から下方に凹入している二つの湾曲部６とで構成されている。そして、前記湾曲部６，６と蓋本体３の周縁部との連設部分７を湾曲させて前記連設部分７に角部が形成されないように構成されている。なお、二つの湾曲部６，６の間には切り欠き６ａが設けられている。
【００２２】
また、前記排水用開口４の上縁は、図１および図３に示すように、上側に湾曲しており、この湾曲に伴って、庇部５も蓋本体３中央側ほど高くなるように湾曲している。さらに、前記湾曲部６と蓋本体３との連設部分７は上に凸の湾曲となっており、蓋本体３の周縁部においてこの連設部分７と連続する部分には、図３および図４に示すように、若干の傾斜がつけられている。
【００２３】
一方、図２〜図４に示すように、上記構成の蓋本体３の下面側にリング体８が装着される。このリング体８は、水溶性の薬剤Ｍ（図４参照）を収容し、その薬剤Ｍを内部に導入された排水に溶解させて外部に導出する複数（この実施の形態では１２個）の収容部９を周方向に所定間隔おきに有している。前記水溶性の薬剤Ｍは、ぬめり除去作用または殺菌作用または消臭作用の一以上を有するものである。
【００２４】
そして、前記蓋本体３は、図１〜図４に示すように、この蓋本体３に装着されたリング体８の前記収容部９に排水を誘導するための誘導用開口１０を収容部９と同じ数（すなわち、この実施の形態では１２個）だけ有している。前記誘導用開口１０は蓋本体３の中央を囲むように環状に配置されており、また、蓋本体３における誘導用開口１０の蓋本体３中央側に、下方に凹み、蓋本体３中央側ほどその凹み深さが小さくなる凹入部１１が連設されている。
【００２５】
ここで、前記誘導用開口１０および凹入部１１は、一つの溝を形成しており、この溝の幅は３〜７ｍｍ、長さは１５ｍｍとなっており、そのうち、誘導用開口１０の長さは７〜１２ｍｍとなっている。
【００２６】
これに対して、前記リング体８の収容部９は、図２および図４に示すように、前記誘導用開口１０からの排水を内部に導入するための導入孔１２を蓋本体３中央側に有すると共に、内部に導入された排水を外部に導出するための導出孔１３（図４参照）を蓋本体３周縁側に有している。そして、図４に示すように、リング体８が蓋本体３に装着された状態では、収容部９の前記導入孔１２が蓋本体３の前記誘導用開口１０の直下に位置し、収容部９の前記導出孔１３が蓋本体３の誘導用開口１０よりも蓋本体３周縁側に位置する。
【００２７】
さらに、図４に示すように、蓋本体３の誘導用開口１０に導入された排水が前記導出孔１３側に向かうのを防止するための防流壁１４が蓋本体３の下面に設けられていると共に、前記導出孔１３から流出する排水を排水口２の下方にあるごみ受け籠の側壁へと誘導するための誘導部１５が収容部９の外側に設けられている。
【００２８】
また、上記リング体８は蓋本体３に対して着脱自在となっている。すなわち、図１、図３および図４に示すように、蓋本体３は、外周端にフランジＦを有し、さらに、このフランジＦの内周端から垂下する垂下部１６を有していると共に、この垂下壁１６の内側に蓋本体３の周縁部から垂下しリング体８を保持するための保持部１７を有している。この保持部１７は、垂下壁１６と同様に、蓋本体３の中心を軸とする横断面ほぼ円弧状に形成されており、リング体８の外周端から外向きに突出する複数の突出片１９（図２〜図４参照）を係合（挿入）させることができる係合孔１７ａを有している。
【００２９】
従って、蓋本体３の下側にリング体８を押し込むと、前記突出片１９乃至リング体８あるいは蓋本体３の保持部１７が弾性変形した後、突出片１９が蓋本体３の保持部１７の係合孔１７ａに挿入された状態となり、この挿入に伴って弾性変形していた突出片１９乃至リング体８あるいは保持部１７がその復元力により元の形状に戻り、保持部１７の係合孔１７ａに突出片１８が係合し、蓋本体３にリング体８が装着された状態となる。
【００３０】
上記の構成からなる蓋１を流しの排水口２に設置すると、流しの排水の大部分は蓋本体３に設けられた排水用開口４に流れ込み、ごみ受け籠へと至る。そして、排水中のごみだけがごみ受け籠に捕捉される。
【００３１】
また、流しの排水の一部は蓋本体３に設けられた誘導用開口１０に流れ込む。ここで、誘導用開口１０の蓋本体３中央側に前記凹入部１１が隣接して設けられているが、一部の凹入部１１は庇部５に設けられ、他の凹入部１１は湾曲部６に設けられている。そして、庇部５に設けられた凹入部１１内に流入した排水は、蓋本体３中央側ほどその凹み深さが小さくなる凹入部１１の傾きによって誘導用開口１０へと流入する一方、湾曲部６に設けられた凹入部１１内に流入した排水は、前記傾きを有する凹入部１１によってその下方へと流れ落ちる。従って、庇部５または湾曲部６のいずれに設けられた凹入部１１内にも排水が溜まることがない。
【００３２】
そして、誘導用開口１０に流れ込んだ排水の一部が前記導入孔１２からリング体８の収容部９内に流入し、このように流入した排水に収容部９内の薬剤Ｍの一部が溶け込むことにより薬液が形成される。その後、この薬液は新たに収容部９内に導入された排水によって前記導出孔１３から収容部９の外部に流出し、前記誘導部１５を伝わりながら流れ落ちて蓋１の下方に配置されたごみ受け籠の側壁や底壁に供給され、前記薬液に溶け込んだ薬剤Ｍが有するぬめり除去作用または殺菌作用または消臭作用の一以上が働くこととなる。
【００３３】
ここで、前記誘導用開口１０は上記のようにその大きさを制限されていることから、誘導用開口１０内から前記導入孔１２内に大量の排水が流れ込み、前記薬液の濃度が低くなりすぎてしまうということは確実に防止される。
【００３４】
また、前記収容部９の導出孔１３は導入孔１２よりも高い位置に設けられ、この導入孔１２は収容部９の底部から適宜の高さの位置（この実施の形態では収容部９の上部）に形成されていると共に、収容部９は、前記導入孔１２から入った排水の殆どが収容部９内を経て導出孔１３から導出されるような構造となっている。従って、導入孔１２から収容部９内に導入された排水はそのまま導出孔１３から導出されてしまうということがなく、薬剤Ｍが溶け込んた状態で導出孔１３から導出されることとなる。すなわち、流しにおいて排水が行われない間は、前記収容部９内において導入孔１２のある位置付近にまで前記排水が溜まった状態で維持され、この排水に薬剤Ｍの一部が溶解して飽和液に近い薬液が形成される。そして、導入孔１２から収容部９内に新たに排水が流入すると、前記飽和液に近い薬液は新たな排水によって薄められながらその殆どが図４において矢印Ｈで示すように収容部９の内壁に沿って流れた後、前記導出孔１３から導出されることとなる。
【００３５】
なお、上記実施の形態において、防流壁１４を蓋本体３の下面に設けているが、防流壁１４をリング体８の収容部９の上面に設けてあってもよい。また、防流壁１４が嵌め込まれる凹入部（図示していない）をリング体８の収容部９上面または蓋本体３の下面に設けておけば、この凹入部がストッパの役割を果たし、蓋本体３に対するリング体８の装着をより行い易くすることができる。
【００３６】
また、上記実施の形態では、一つの切り欠き６ａによって隔てられた二つの湾曲部６を設け、蓋本体３の中央部をいわば三つ割りとしているが、例えば、前記切り欠き６ａを設けずに二つの湾曲部６をつなげて一つの湾曲部６としてもよく、反対に、二つ以上の切り欠き６ａを設けて三つ以上の湾曲部６を形成してもよい。
【００３７】
さらに、前記蓋本体３の湾曲部６側に位置する誘導用開口１０は、蓋本体３の周縁部と湾曲部６とに跨がって設けられていてもよいし、湾曲部６には進入せずほぼ平面状の蓋本体３の周縁部のみに設けられていてもよい。いずれにしても、平面視において、庇部５側に設けられた誘導用開口１０および凹入部１１と、湾曲部６側に設けられた誘導用開口１０および凹入部１１とが、ほぼ同一形状を呈するようにすることが、外観上好ましい。
【図面の簡単な説明】
【００３８】
【図１】本発明の一実施の形態に係る蓋の構成を概略的に示す斜視図である。
【図２】上記蓋の構成を概略的に示す部分透視平面図である。
【図３】流しの排水口に取り付けた状態の前記蓋の全体構成を概略的に示す縦断面図である。
【図４】流しの排水口に取り付けた状態の前記蓋の要部の構成を概略的に示す縦断面図である。
【図５】従来の蓋の構成を概略的に示す縦断面図である。
【符号の説明】
【００３９】
１      蓋
２      排水口
３      蓋本体
４      排水用開口
４ａ    上縁
４ｂ    下縁
５      庇部
６      湾曲部
７      連設部分
８      リング体
９      収容部
１０      誘導用開口
Ｍ      薬剤
【図１】
2007046336.tif 000003
【図２】
2007046336.tif 000004
【図３】
2007046336.tif 000005
【図４】
2007046336.tif 000006
【図５】
2007046336.tif 000007